(57)【要約】【課題】パチンコ店における種々の異常を判断できる管理装置を提供する。【解決手段】パチンコ店の各遊技台の管理を行う管理コンピュータにおいて、通常入出玉数比値異常判断部（ステップ１１０）、確率変動入出玉数比値異常判断部（ステップ１２０）、入賞なし大当り判断部（ステップ１３０）、止打ち異常判断部（ステップ１４０）、入賞異常判断部（ステップ１５０）、大当り出玉異常判断部（ステップ１６０）、大当りパンク異常判断部（ステップ１７０）、大当り連チャン異常判断部（ステップ１８０）、入賞信号異常判断部（ステップ１９０）、回転信号異常判断部（ステップ２００）、出玉無入賞異常判断部（ステップ２１０）、出玉無回転異常判断部（ステップ２２０）、出玉たれながし異常判断部（ステップ２３０）、入玉超過異常判断部（ステップ２４０）、大当り確率異常判断部（ステップ２５０）などの異常判断を行う。【選択図】　　　　図３
2004081564.tif 000002
【特許請求の範囲】
【請求項１】
パチンコ店の各遊技台から出力される信号を入力する情報入力部と、この情報入力部に入力された信号に基づいて前記各遊技台の管理を行う管理コンピュータとを備えた、パチンコ店における管理装置において、
前記管理コンピュータは、前記各遊技台から入玉数に応じて出力される入玉信号と、前記各遊技台からスタートチャッカーに玉が入賞したときに出力される入賞信号とに基づき、遊技台毎に、設定数の入玉数に対し入賞数が所定数以下であるか否かを判定し、入賞数が所定数以下であるときに異常と判断する手段を有する、ことを特徴とするパチンコ店における管理装置。
【請求項２】
パチンコ店の各遊技台から出力される信号を入力する情報入力部と、この情報入力部に入力された信号に基づいて前記各遊技台の管理を行う管理コンピュータとを備えた、パチンコ店における管理装置において、
前記管理コンピュータは、前記各遊技台から入玉数に応じて出力される入玉信号と、前記各遊技台から特別図柄作動装置が作動したときに出力される作動信号とに基づき、遊技台毎に、設定数の入玉数に対し特別図柄作動装置の作動回数が所定数以下であるか否かを判定し、作動回数が所定数以下であるときに異常と判断する手段を有する、ことを特徴とするパチンコ店における管理装置。
【請求項３】
パチンコ店の各遊技台から出力される信号を入力する情報入力部と、この情報入力部に入力された信号に基づいて前記各遊技台の管理を行う管理コンピュータとを備えた、パチンコ店における管理装置において、
前記管理コンピュータは、前記各遊技台からスタートチャッカーに玉が入賞したときに出力される入賞信号と、前記各遊技台から出玉数に応じて出力される出玉信号とに基づき、遊技台毎に、（入賞数×賞球数−出玉数）が設定値以下であるか否かを判定し、（入賞数×賞球数−出玉数）が設定値以下であるときに異常と判断する手段を有する、ことを特徴とするパチンコ店における管理装置。
【請求項４】
パチンコ店の各遊技台から出力される信号を入力する情報入力部と、この情報入力部に入力された信号に基づいて前記各遊技台の管理を行う管理コンピュータとを備えた、パチンコ店における管理装置において、
前記管理コンピュータは、前記各遊技台から特別図柄作動装置が作動したときに出力される作動信号と、前記各遊技台から出玉数に応じて出力される出玉信号とに基づき、遊技台毎に、（特別図柄作動装置の作動回数×賞球数−出玉数）が設定値以下であるか否かを判定し、（特別図柄作動装置の作動回数×賞球数−出玉数）が設定値以下であるときに異常と判断する手段を有する、ことを特徴とするパチンコ店における管理装置。
【請求項５】
パチンコ店の各遊技台から出力される信号を入力する情報入力部と、この情報入力部に入力された信号に基づいて前記各遊技台の管理を行う管理コンピュータとを備えた、パチンコ店における管理装置において、
前記管理コンピュータは、前記各遊技台からその遊技台の稼動時、未稼動時が判別できる信号と、前記各遊技台から出玉数に応じて出力される出玉信号とに基づき、遊技台毎に、その遊技台の未稼動時を判定したとき、出玉数が設定数以上であるか否かを判定し、出玉数が設定数以上であるときに異常と判断する手段を有する、ことを特徴とするパチンコ店における管理装置。
【請求項６】
パチンコ店の各遊技台から出力される信号を入力する情報入力部と、この情報入力部に入力された信号に基づいて前記各遊技台の管理を行う管理コンピュータとを備えた、パチンコ店における管理装置において、
前記管理コンピュータは、前記各遊技台から入玉数に応じて出力される入玉信号に基づき、遊技台毎に、通常時における所定時間の入玉数が設定数以上であるか否かを判定し、所定時間の入玉数が設定数以上であるときに異常と判断する手段を有する、ことを特徴とするパチンコ店における管理装置。
【請求項７】
パチンコ店の各遊技台から出力される信号を入力する情報入力部と、この情報入力部に入力された信号に基づいて前記各遊技台の管理を行う管理コンピュータとを備えた、パチンコ店における管理装置において、
前記管理コンピュータは、前記各遊技台から大当り時に出力される大当り信号と、前記各遊技台から特別図柄作動装置が作動したときに出力される作動信号とに基づき、遊技台毎に、前回の大当り時から今回の大当り時までの特別図柄作動装置の作動回数に基づいて初当り大当り確率を求め、過去数回の初当り大当り確率の平均値が設定値以上であるか否かを判定し、初当り大当り確率の平均値が設定値以上であるときに異常と判断する手段を有する、ことを特徴とするパチンコ店における管理装置。
【発明の詳細な説明】
【０００１】
【発明の属する技術分野】
本発明は、パチンコ店に設置されているパチンコ台等の遊技台を管理する管理装置に関する。
【０００２】
【従来の技術】
従来、パチンコ店における管理装置として、本出願人は「パチンコ店におけるセキュリティ装置」を出願した（特開平１１−１７９０３８号公報参照）。
【０００３】
これは、各パチンコ台から、入玉数を示す入玉信号、出玉数を示す出玉信号、大当り中であることを示す大当り信号、確率変動中であることを示す確率変動信号、玉がスタートチャッカに入賞したことを示す入賞信号、デジタルが回転したことを示す回転信号、パチンコ台のドアの開閉を示すドア開閉信号、パチンコ台の窓枠の開閉を示す窓枠開閉信号、電波の受信状況に応じた電波感知信号、磁気の感知状況に応じた磁気感知信号などを管理コンピュータが取り込み、それらの信号に基づいて、通常入出玉数比値異常、確率変動入出玉数比値異常、入賞なし大当り異常、止打ち異常、入賞異常、大当り出玉異常、大当りパンク異常、大当り連チャン異常などの各種の異常を判断するようにしたものである。
【０００４】
【発明が解決しようとする課題】
しかしながら、パチンコ店におけるセキュリティあるいは管理の質をさらに高めるためには、上記公報に示された異常以外にも、種々の異常を判断する必要がある。従って、本発明は、上記した公報に示された異常以外の異常を判断することができる、パチンコ店における管理装置を提供することを目的とする。
【０００５】
【課題を解決するための手段】
上記目的を達成するため、請求項１に記載の発明では、パチンコ店の各遊技台から出力される信号を入力する情報入力部と、この情報入力部に入力された信号に基づいて各遊技台の管理を行う管理コンピュータとを備えた、パチンコ店における管理装置において、管理コンピュータが、各遊技台から入玉数に応じて出力される入玉信号と、各遊技台からスタートチャッカーに玉が入賞したときに出力される入賞信号とに基づき、遊技台毎に、設定数の入玉数に対し入賞数が所定数以下であるか否かを判定し、入賞数が所定数以下であるときに異常と判断する手段を有することを特徴としている。
【０００６】
この発明によれば、入賞信号の入力異常（例えば、入賞信号配線のコネクタ外れ、断線の異常）などを検出することができる。
【０００７】
請求項２に記載の発明では、管理コンピュータが、各遊技台から入玉数に応じて出力される入玉信号と、各遊技台から特別図柄作動装置が作動したときに出力される作動信号とに基づき、遊技台毎に、設定数の入玉数に対し特別図柄作動装置の作動回数が所定数以下であるか否かを判定し、作動回数が所定数以下であるときに異常と判断する手段を有することを特徴としている。
【０００８】
この発明によれば、特別図柄作動装置が作動したときに出力される作動信号の入力異常（例えば、作動信号配線のコネクタ外れ、断線の異常）などを検出することができる。
【０００９】
請求項３に記載の発明では、管理コンピュータが、各遊技台からスタートチャッカーに玉が入賞したときに出力される入賞信号と、各遊技台から出玉数に応じて出力される出玉信号とに基づき、遊技台毎に、（入賞数×賞球数−出玉数）が設定値以下であるか否かを判定し、（入賞数×賞球数−出玉数）が設定値以下であるときに異常と判断する手段を有することを特徴としている。
【００１０】
この発明によれば、出玉無状態で入賞が発生している異常を検出することができる。
【００１１】
請求項４に記載の発明では、管理コンピュータが、各遊技台から特別図柄作動装置が作動したときに出力される作動信号と、各遊技台から出玉数に応じて出力される出玉信号とに基づき、遊技台毎に、（特別図柄作動装置の作動回数×賞球数−出玉数）が設定値以下であるか否かを判定し、（特別図柄作動装置の作動回数×賞球数−出玉数）が設定値以下であるときに異常と判断する手段を有することを特徴としている。
【００１２】
この発明によれば、出玉無状態で特別図柄作動装置が作動している異常を検出することができる。
【００１３】
請求項５に記載の発明では、管理コンピュータが、各遊技台からその遊技台の稼動時、未稼動時が判別できる信号と、各遊技台から出玉数に応じて出力される出玉信号とに基づき、遊技台毎に、その遊技台の未稼動時を判定したとき、出玉数が設定数以上であるか否かを判定し、出玉数が設定数以上であるときに異常と判断する手段を有することを特徴としている。
【００１４】
この発明によれば、出玉のたれながし異常を検出することができる。
【００１５】
なお、上記した遊技台の稼動時、未稼動時が判別できる信号としては、例えば入玉数に応じて出力される入玉信号を用い、管理コンピュータが、所定時間の間入玉信号が出力されていない状態にて未稼動時を判定するようにすることができる。
【００１６】
請求項６に記載の発明では、管理コンピュータが、各遊技台から入玉数に応じて出力される入玉信号に基づき、遊技台毎に、通常時における所定時間の入玉数が設定数以上であるか否かを判定し、所定時間の入玉数が設定数以上であるときに異常と判断する手段を有することを特徴としている。
【００１７】
この発明によれば、入玉の超過異常を検出することができる。
【００１８】
請求項７に記載の発明では、管理コンピュータが、各遊技台から大当り時に出力される大当り信号と、各遊技台から特別図柄作動装置が作動したときに出力される作動信号とに基づき、遊技台毎に、前回の大当り時から今回の大当り時までの特別図柄作動装置の作動回数に基づいて初当り大当り確率を求め、過去数回の初当り大当り確率の平均値が設定値以上であるか否かを判定し、初当り大当り確率の平均値が設定値以上であるときに異常と判断する手段を有することを特徴としている。
【００１９】
この発明によれば、大当り確率の異常を検出することができる。
【００２０】
なお、特別図柄作動装置の作動回数と初当り大当り確率とは逆数の関係にあるため、初当りの作動回数を初当り大当り確率とみなして、過去数回の初当りの作動回数の平均値が設定値以下であるときに異常と判断するものも請求項７に記載の発明に含まれる。
【００２１】
また、上記した各請求項における「各遊技台」とは、パチンコ店にある全ての遊技台のことを意味するのではなく、異常を判断する対象となる各遊技台のことをいう。
【００２２】
【発明の実施の形態】
図１に、本発明に係るパチンコ店の管理装置が管理する遊技台としてのパチンコ台の概略構成を示す。
【００２３】
パチンコ台には、パチンコ遊技の全体的な制御を行う制御基板１１が備えられている。この制御基板１１は、いずれかの入賞口に玉が入ったことを検出すると、その入賞口に応じた賞球数の払い出し制御を行うとともに、スタ−トチャッカーに玉が入賞したことを検出したときには、パチンコ台に設けられた特別図柄表示装置１２を作動させる（以下、このことをデジタルが回るという）。制御基板１１は、デジタルが揃って大当りが発生すると大当りが終了するまで大当り信号を出力し、また確率変動大当りが発生すると確率変動が終了するまで確率変動信号を出力する。また、制御基板１１は、玉がスタ−トチャッカーに入って入賞したことを検出したときに入賞信号を出力し、デジタルが回ったときに回転信号（すなわち特別図柄作動装置１２が作動したときに出力される作動信号）を出力する。なお、回転信号は、デジタルが回っている期間中のいずれかのタイミング（例えば、デジタルが回りだしたとき、あるいはデジタルが停止したとき）に、１パルスの信号として出力される。
【００２４】
また、パチンコ台には、入玉センサ１３、出玉センサ１４、ドアセンサ１５および窓枠開閉センサ１６が設けられている。入玉センサ１３は、いわゆる入玉（アウト玉）１０個につき１パルスの入玉信号を出力する。出玉センサ１４は、いわゆる出玉（セーフ玉）１０個につき１パルスの出玉信号を出力する。ドアセンサ１５は、パチンコ台のドアの開閉を感知しそれに応じたドア開閉信号を出力する。窓枠開閉センサ１６は、パチンコ台の窓枠の開閉を感知しそれに応じた窓枠開閉信号を出力する。
【００２５】
さらに、パチンコ台２またはその近くには、電波監視手段をなす電波センサ１７と、磁気監視手段をなす磁気センサ１８とが設けられている。電波センサ１７は、電波の受信状況に応じた電波感知信号を出力する。磁気センサ１８は、磁気の感知状況に応じた磁気感知信号を出力する。また、パチンコ台の横にはサンド玉貸器が取付けられており、売上センサ３ｇは、サンド玉貸器から売上信号（２５個１００円につき１パルス）を出力する。
【００２６】
上記した大当り信号、確率変動信号、入賞信号、回転信号、入玉信号、出玉信号、ドア開閉信号、窓枠開閉信号、電波感知信号、磁気感知信号および売上信号は、信号配線１１ａ、１１ｂ、１１ｃ、１１ｄ、１３ａ、１４ａ、１５ａ、１６ａ、１７ａ、１８ａおよび１９ａを介してそれぞれ外部に出力される。
【００２７】
図２に、本発明に係るパチンコ店の管理装置の構成を示す。管理装置は、情報入力部３１、管理コンピュータ３２および警報装置４０から構成されている。
【００２８】
情報入力部３１は、パチンコ台に対応してそれぞれ設けられ、パチンコ台から上記した各種信号をそれぞれの信号配線を介して入力する。
【００２９】
管理コンピュータ３２は、ＣＰＵ３３、ＲＯＭ３４、ＲＡＭ３５、メモリ部３６、時刻発生部３７およびインターフェース３８、３９から構成されている。ＣＰＵ３３は、後述する各種異常検出などの管理処理を実行する。ＲＯＭ３４は、ＣＰＵ３３が実行するプログラムおよびＣＰＵ３３の処理における各種判断の設定値等を記憶している。また、各情報入力部３１に入力された信号は、インターフェース３８を介してＣＰＵ３３に取り込まれ、ＣＰＵ３３の書き込み処理によって、メモリ部３６に各種データが記憶される。
【００３０】
このメモリ部３６は、パチンコ台毎に、情報累積メモリ３６１、大当り中累積メモリ３６２、確率変動中累積メモリ３６３、１分間毎集計メモリ３６４、大当り毎集計メモリ３６５、外部センサの状態の開閉時間と開閉状態を記憶する外部センサメモリ３６６および異常発生の履歴を記憶する異常履歴メモリ３６７を有している。
【００３１】
情報累積メモリ３６１は、各情報の累積値とその時刻を記憶する入玉カウンタ３６１ａ、出玉カウンタ３６１ｂ、大当りカウンタ３６１ｃ、入賞カウンタ３６１ｄ、回転カウンタ３６１ｅ、売上カウンタ３６１ｆ、確変カウンタ３６１ｇの各カウンタメモリから構成されている。大当り中累積メモリ３６２は、大当り中の各信号を累積する入玉カウンタ３６２ａ、出玉カウンタ３６２ｂ、入賞カウンタ３６２ｃ、回転カウンタ３６２ｄ、売上カウンタ３６２ｅ、確変カウンタ３６２ｆの各カウンタメモリから構成されている。確変中累積メモリ３６３は、確変中の各信号を累積する入玉カウンタ３６３ａ、出玉カウンタ３６３ｂ、大当りカウンタ３６３ｃ、入賞カウンタ３６３ｄ、回転カウンタ３６３ｅ、売上カウンタ３６３ｆの各カウンタメモリから構成されている。１分間毎集計メモリ３６４は１分間毎の各信号の累積数を記憶する入玉カウンタ３６４ａ、出玉カウンタ３６４ｂ、大当りカウンタ３６４ｃ、入賞カウンタ３６４ｄ、回転カウンタ３６４ｅ、売上カウンタ３６４ｆの各カウンタメモリから構成されている。大当り毎集計メモリ３６５は、大当り毎（１回目、２回目、…）に各信号を累積する入玉カウンタ３６５ａ、出玉カウンタ３６５ｂ、入賞カウンタ３６５ｃ、回転カウンタ３６５ｄ、売上カウンタ３６５ｅの各カウンタメモリから構成されている。外部センサメモリ３６６は、各種外部センサの検出又は開閉の変化した時刻と、その検出または開閉の状態を記憶するドア開閉メモリ３６６ａ、窓枠開閉メモリ３６６ｂ、電波検出メモリ３６６ｃ、磁気検出メモリ３６６ｄから構成されている。
【００３２】
ＣＰＵ３３は、インターフェース３８を介して取り込んだ各種の信号に基づきメモリ部３６にデータの書き込み処理を行う。
【００３３】
すなわち、ＣＰＵ３３は、入玉信号、出玉信号、大当り信号、入賞信号、回転信号、売上信号、確率変動信号に基づき、最初から連続して信号を累積する値については、各情報累積メモリ３６１の入玉カウンタ３６１ａ、出玉カウンタ３６１ｂ、大当りカウンタ３６１ｃ、入賞カウンタ３６１ｄ、回転カウンタ３６１ｅ、売上カウンタ３６１ｆ、確率変動カウンタ３６１ｇのそれぞれのカウンタメモリに記憶させ、大当り中の各信号の累積値については、大当り中累積メモリ３６２の入玉カウンタ３６２ａ、出玉カウンタ３６２ｂ、入賞カウンタ３６２ｃ、回転カウンタ３６２ｄ、売上カウンタ３６２ｅ、確変カウンタ３６２ｆのカウンタメモリに記憶させ、確率変動中の各信号の累積値については、確率変動中累積メモリ３６３の入玉カウンタ３６３ａ、出玉カウンタ３６３ｂ、大当りカウンタ３６３ｃ、入賞カウンタ３６３ｄ、回転カウンタ３６３ｅ、売上カウンタ３６３ｆのカウンタメモリに記憶させる。
【００３４】
また、ＣＰＵ３３は、入玉信号、出玉信号、大当り信号、入賞信号、回転信号、売上信号、確率変動信号に基づき、１分間毎に各信号の累積値の差数を計算し、１分間毎集計メモリ３６４の入玉カウンタ３６４ａ、出玉カウンタ３６４ｂ、大当りカウンタ３６４ｃ、入賞カウンタ３６４ｄ、回転カウンタ３６４ｅ、売上カウンタ３６４ｆの各カウンタメモリに記憶させる。その場合、そのカウント開始した時刻も時刻発生部３７からの時刻に基づいて関連づけて記憶される。
【００３５】
さらに、ＣＰＵ３３は、大当り信号が入力される毎（１回目、２回目、３回目…）に、各カウンタのカウント値を大当り毎集計メモリ３６５の入玉カウンタ３６５ａ、出玉カウンタ３６５ｂ、入賞カウンタ３６５ｃ、回転カウンタ３６５ｄ、売上カウンタ３６５ｅのカウンタメモリに、その大当り回数番号と関連づけて記憶させる。
【００３６】
さらに、ＣＰＵ３３は、ドアセンサ１５からドア開放を示す信号、窓枠開閉センサ１６から窓枠開放を示す信号、電波センサ１７から電波検知を示す信号、磁気センサ１８から磁気検知を示す信号が入力されると、その発生時刻とともに外部センサメモリ３６６のドア開閉メモリ３６６ａ、窓枠開閉メモリ３６６ｂ、電波検出メモリ３６６ｃ、磁気検出メモリ３６６ｄに記憶させる。
【００３７】
警報装置４０は、ＣＰＵ３３からインターフェース３９を介して警報信号を入力すると、監視員に音・光・振動で異常・不正があることを伝達するものである。このため、警報装置４０は、警報音を発生するスピーカー４０ａ、点滅警報灯４０ｂ、警報信号を発生させるバイブレータ４０ｃ、モニターディスプレイ４０ｄなどを備えている。
【００３８】
次に、上記した構成において、管理コンピュータ３２におけるＣＰＵ３３で実行される異常検出処理について説明する。この異常検出処理は、上記したメモリ部３６への書き込み処理とは別に、各パチンコ台毎に、図３のフローチャートに従って繰り返し実行される。
【００３９】
ＣＰＵ３３は、まず、ステップ１００で、大当り信号、確率変動信号に基づき、大当り時であるか、確率変動時であるか、大当り及び確率変動でない通常時であるか否かを判断し、それぞれについて以下の異常検出処理を行う。なお、以下に示すステップ１１０〜１８０は、特開平１１−１７９０３８号に記載されたものと基本的に同じである。まず、これらのステップ１１０〜１８０について説明する。
［ステップ１１０の処理：通常入出玉数比値異常判断部］
大当り及び確率変動時を除いた通常状態における入玉カウンタ３６１ａと出玉カウンタ３６１ｂの入玉数と出玉数の所定時間における数値の比（累積入玉数、累積出玉数の所定の時間のある時刻での値の差分の比）を通常入出玉数比値として計算する。所定時間として１分間をとっている。すなわち、通常入出玉数比値＝所定時間の間の出玉数／所定時間の間の入玉数である。
【００４０】
この通常入出玉数比値は、大当り、確率変動中でない通常時は４０％前後であり、出玉には多少のタイムラグがあるので１０分間の間の平均値をとる。この入出玉数比値が設定値（例えば１００％）を超えた場合、差玉（出玉−入玉）が増加して不正状態・異常状態と判断し、異常検出信号を出力する。すなわち、この異常判断部では、出玉カウンタ３６３ｂによって計測された出玉数が所定時間の間に入玉カウンタ３６３ａによって計測された入玉数より大きいときに、異常と判断する。
［ステップ１２０の処理：確率変動入出玉数比値異常判断部］
確率変動時の入玉数と出玉数の比の入出玉数比値は概ね１００％前後（８０〜１２０％）であり、確率変動中は大当りの確率が高くなる。大当りが発生して次の大当りが発生するまでの確率変動時間は約５分間程度である。従って、確率変動中累積メモリ３６３の入玉カウンタ３６３ａと出玉カウンタ３６３ｂとから所定時間（例えば５分間）の平均の確率変動中の入出玉数比値（確率変動入出玉数比値）をとる。この平均の確率変動入出玉数比値が設定値（例えば２００％）を超えると、不正・異常とみなし異常検出信号を発生する。
［ステップ１３０の処理：入賞なし大当り判断部］
入賞なし大当り、大当り信号が入力されると、その所定の短かい所定時間前（例えば３秒前）に入賞信号があったか否かを各情報累積メモリ３６１の大当りカウンタ３６１ｃと入賞カウンタ３６１ｄとから判断し、入賞信号がなく大当りが発生すれば不正とみなし、異常検出信号を出力する。これは、ほとんどのパチンコ台はスタ−トチャッカーに玉が入賞した時点でデジタルが回転し、デジタルが揃うことにより大当りが発生するからである。
［ステップ１４０の処理：止打ち異常判断部］
パチンコ台の最高打ち出しは１分間に１００個以内と決められており、実際に遊技される場合、リーチなどの遊技停止時間があるとしても平均的には１分間に８０個以上は発射されている。この打出した玉数は入玉としてカウントされるので、入玉の推移を常時監視する。１分間の１分間毎集計メモリ３６４の入玉カウンタ３６４ａの入玉数が一定期間連続して設定値を下回った場合に（例えば５分連続で５０個以下の場合など）不正止打ちとみなし、異常検出信号を出力する。［ステップ１５０の処理：入賞異常判断部］
パチンコ台の種類により平均的な入賞個数は決まる。通常の状態で打出し（入玉）１００個につき入賞は最高７回程度である。しかし、スタ−トチャッカー付近の釘状態によっては入賞の個数にバラツキがでる。そこで、一定期間入賞個数を入賞カウンタ３６１ｄから平均分析する。その平均が設定値を超えた場合に異常検出信号を出力する。具体的には、１００個の打出し毎の入賞個数をカウントし、その所定回数（例えば１０回）分の平均が設定値（例えば１．５倍の１２個）を超えた場合に不正とみなす。
［ステップ１６０の処理：大当り出玉異常判断部］
パチンコ台の種類により大当り中の出玉は２０００個から２５００個程度である。大当り中の信号が出力されている間の出玉を大当り毎集計メモリ３６５の出玉カウンタ３６５ｂから常時監視し、あらかじめ設定されている値（例えば２５００個）を超えた場合に不正とみなし異常検出信号を出力する。大当り終了から最後の玉がでるまではタイムラグがあるため遅延時間をとる。
【００４１】
遅延時間のとり方としては（１）３０秒から２分程度固定された時間をあらかじめ設定する。（２）大当り終了後、任意に設定した時間（例えば１０〜３０秒）以内に出玉検出しなくなるまで遅延時間をとる。
［ステップ１７０の処理：大当りパンク異常判断部］
大当り中の出玉が設定された値（例えば３００個）より少ない場合にトラブルとして異常検出信号を発する。
［ステップ１８０の処理：大当り連チャン異常判断部］
パチンコ台によって確率変動中の大当り回数が定められている。確率変動中の大当り回数を確率変動中累積メモリ３６３の大当りカウンタ３６３ｃから監視すし、不正を検出すると異常検出信号を出力する。
【００４２】
この実施形態では、上記した異常検出処理以外に、以下のような異常検出処理を行っている。
［ステップ１９０の処理：入賞信号異常判断部］
パチンコ台において、通常の状態では入玉数１００個につき７個程度入賞するように調整されていると仮定する。従って、入玉数に対する入賞信号の発生回数が少ない場合は、入賞信号の配線１１ｃのコネクタ外れ、断線などの異常が考えられる。
【００４３】
そこで、この入賞信号異常判断処理では、図４に示すように、まずステップ１９０１において、入玉カウンタ３６１ａのカウント値から入玉数が設定数（例えば３００個）増えたか否かを判定し、入玉数が設定数増えたことを判定すると、ステップ１９０２において、入賞カウンタ３６１ｄのカウント値からその間（入玉数が設定数増加する間）の入賞数を求め、入賞数が所定数（例えば１回）以下であるか否かを判定し、入賞数が所定数以下であることを判定すると、ステップ１９０３において、入賞信号異常として異常検出信号を出力する。
［ステップ２００の処理：回転信号異常判断部］
パチンコ台において、通常の状態で入玉数１００個につき７回はデジタルが回転するように調整されていると仮定する。従って、入玉数に対する回転数が少ない場合は、回転信号の配線１１ｄのコネクタ外れ、断線などの異常が考えられる。
【００４４】
そこで、この回転信号異常判断処理では、図５に示すように、まずステップ２００１において、入玉カウンタ３６１ａのカウント値から入玉数が設定数（例えば３００個）増えたか否かを判定し、入玉数が設定数増えたことを判定すると、ステップ２００２において、回転カウンタ３６１ｅのカウント値からその間（入玉数が設定数増加する間）の回転数を求め、回転数が所定数（例えば１回）以下であるか否かを判定し、回転数が所定数以下であることを判定すると、ステップ２００３において、回転信号異常として異常検出信号を出力する。
［ステップ２１０の処理：出玉無入賞異常判断部］
パチンコ台において、１回の入賞に対し払い出す賞球数は決まっている。従って、入賞数に対し払い出した賞球数が出玉数よりかなり大きい場合は、電波等によりデジタルだけ回すような不正が行われている可能性がある。
【００４５】
そこで、この出玉無入賞異常判断処理では、図６に示すように、まずステップ２１０１において、入賞カウンタ３６１ｄのカウント値から入賞数が設定回数（例えば１０回）増えたか否かを判定し、入賞数が設定回数増えたことを判定すると、ステップ２１０２において、出玉カウンタ３６１ｂのカウント値からその間（入賞数が設定回数増加する間）の出玉数を求め、入賞数（１０回）×賞球数（例えば５個）−出玉数が設定値（例えば３０個）以下であるか否かを判定し、入賞数×賞球数−出玉数が設定値以下であることを判定すると、ステップ２１０３において、出玉無入賞異常として異常検出信号を発生する。この出玉無入賞異常としては、デジタルだけ回すような不正の他、出玉の玉詰まり、入賞信号、出玉信号の異常などが考えられる。
［ステップ２２０の処理：出玉無回転異常判断部］
上記した出玉無入賞異常では、入賞数を用いて異常検出を行うようにしているが、入賞数の代わりにデジタルが回転した数を用いても同様に異常検出を行うことができる。
【００４６】
そこで、この出玉無回転異常判断処理では、図７に示すように、まずステップ２２０１において、回転カウンタ３６１ｅのカウント値から回転数が設定回数（例えば１０回）増えたか否かを判定し、回転数が設定回数増えたことを判定すると、ステップ２２０２において、出玉カウンタ３６１ｂのカウント値からその間（回転数が設定回数増加する間）の出玉数を求め、回転数（１０回）×賞球数（例えば５個）−出玉数が設定値（例えば３０個）以下であるか否かを判定し、回転数×賞球数−出玉数が設定値以下であることを判定すると、ステップ２２０３において、出玉無回転異常として異常検出信号を発生する。この出玉無回転異常としては、デジタルだけ回すような不正の他、出玉の玉詰まり、回転信号、出玉信号の異常などが考えられる。
【００４７】
なお、上記したステップ２１０の出玉無入賞異常判断とステップ２２０の出玉無回転異常判断は、いずれか一方のみ行うようにしてもよい。
［ステップ２３０の処理：出玉たれながし異常判断部］
パチンコ台において、その未稼動時に出玉が出ているような場合には、出玉がパチンコ台の裏側をこぼれて流れていたり（例えば、補給装置のリミッタが作動していないなどによる）、あるいはパチンコ台の裏側で何らかの不正が行われている可能性がある。
【００４８】
そこで、この出玉たれながし異常判断処理では、図８に示すように、まずステップ２３０１において、未稼動時であるか否か、例えば１分間の入玉カウンタ３６４ａのカウント値に基づいて入玉が流れていない状態が例えば１分間続いているか否かを判定し、未稼動時であることを判定すると、ステップ２３０２において、出玉カウンタ３６１ｂのカウント値からその間（未稼動検出を行っている間）の出玉数が設定数（例えば１００個）以上であるか否かを判定し、出玉数が設定数以上であることを判定すると、ステップ２３０３において、出玉たれながし異常として異常検出信号を出力する。
【００４９】
なお、上記した例では、入玉が流れていない状態すなわちパチンコ台から入玉信号が出力されていない状態が１分間継続したときにパチンコ台の未稼動時を判定するものを示したが、パチンコ台から出力される他の信号によりパチンコ台の未稼動時を判定するようにしてもよい。
［ステップ２４０の処理：入玉超過異常判断部］
パチンコ台の種類により、通常の状態で１分間の入玉数は、所定数（例えば１００個）程度に設定されている。従って、１分間の入玉数が、その所定数より大きい設定数（例えば、１２０個）以上になる場合は、本来、アウトボックスに入るはずのない玉が、補給の樋または別の台の玉こぼれにより、混入しているなどの異常であると判断することができる。
【００５０】
そこで、この入玉超過異常判断処理では、図９に示すように、まずステップ２４０１において、１分間の入玉カウンタ３６４ａのカウント値により１分間の入玉数が設定数（例えば１２０個）以上であるか否かを判定し、１分間の入玉数が設定数以上であることを判定すると、ステップ２４０２において、入玉超過異常として異常検出信号を発生する。
【００５１】
なお、大当り時には、入賞球がアウトボックスに入り、入玉センサがアウトボックスに設けられているため、上記した設定数を超えることがあり得る。このため、大当り中および上記した遅延時間の間を除いた通常時において上記した入玉超過異常判断処理を行っている。
［ステップ２５０の処理：大当り確率異常判断部］
パチンコ台の種類により、通常の状態で大当りする確率は、所定値（例えば１／２５０）に設定されている。従って、その大当り確率より高い平均確率で大当りするような場合は、電波等を用いた不正が行われている可能性がある。
【００５２】
そこで、この大当り確率異常判断処理では、図９に示すように、まずステップ２５０１において、大当り開始時であるか否かを判定し、大当り開始時であることを判定すると、ステップ２５０２において、回転カウンタ３６１ｅのカウント値により前回の大当り時から今回の大当り時まで（但し、確率変動中を除く）の回転数を求め、この回転数から初当り大当り確率を求める。そして、ステップ２５０４において、過去数回（例えば３回）の初当り大当り確率の平均値を求め、ステップ２５０４において、その平均値が設定値（例えば、１／３０）以上であるか否かを判定し、平均値が設定値以上であることを判定すると、ステップ２５０５において、大当り確率異常として異常検出信号を発生する。
【００５３】
なお、前回の大当り時から今回の大当り時までの回転数は、初当り大当り確率と逆数の関係にあるため、過去数回（例えば３回）の初当りの回転数の平均値が設定値（例えば３０回）以下であるか否かにより、大当り確率異常を検出するようにしてもよい。
【００５４】
上記したステップ１１０〜２５０により異常検出信号が出力されると、その異常に応じて警報装置４０を作動させる。また、異常判断された内容は、履歴としてメモリ部３６の異常履歴メモリ３６７に記憶される。そして、ステップ２６０において、異常履歴メモリ３６７に記憶された異常履歴と外部センサの感知状態（ドア開閉、窓枠開閉、磁気感知、電波感知）を時刻とともに記憶した外部センサメモリ３６６の記憶情報とから、異常の発生に関連性があるか否かを判断し、関連性があると判断されると、それに応じて警報装置４０を作動させる。
【００５５】
なお、上記した各異常の判断は、１回の判定で異常と判断するのでなく、複数回の判定で異常と判断するようにしてもよい。
【図面の簡単な説明】
【図１】本発明に係るパチンコ店の管理装置が管理する遊技台としてのパチンコ台の概略構成を示す図である。
【図２】本発明に係るパチンコ店の管理装置の構成を示す図である。
【図３】管理コンピュータ３２におけるＣＰＵ３３で実行される異常検出処理を示すフローチャートである。
【図４】図３中の入賞信号異常判断処理を示すフローチャートである。
【図５】図３中の回転信号異常判断処理を示すフローチャートである。
【図６】図３中の出玉無入賞異常判断処理を示すフローチャートである。
【図７】図３中の出玉無回転異常判断処理を示すフローチャートである。
【図８】図３中の出玉たれながし異常判断処理を示すフローチャートである。
【図９】図３中の入玉超過異常判断処理を示すフローチャートである。
【図１０】図３中の大当り確率異常判断処理を示すフローチャートである。
【符号の説明】
３１…情報入力部、３２…管理コンピュータ、３３…ＣＰＵ、
３４…ＲＯＭ、３５…ＲＡＭ、３６…メモリ部、３７…時刻発生部、
３８、３９…インターフェース、４０…警報装置。
【図１】
2004081564.tif 000003
【図２】
2004081564.tif 000004
【図３】
2004081564.tif 000005
【図４】
2004081564.tif 000006
【図５】
2004081564.tif 000007
【図６】
2004081564.tif 000008
【図７】
2004081564.tif 000009
【図８】
2004081564.tif 000010
【図９】
2004081564.tif 000011
【図１０】
2004081564.tif 000012